(57)【要約】【課題】本発明は、顔等の保温をすることにより顔等を暖め、発汗を促すとともに毛穴を開かせる効果が期待できるヘッドシールドを提供する。【解決手段】人の頭をすっぽり覆うことが出来、前面に穴１４を設けたヘッドシールド本体１の前側と横側を末広がりに作り、内側には頭頂部にあわせた、なだらかなライン状の突起物２を、またその周辺に排気穴３を設ける。本体１のマジックテープ雌８と着脱式前面シールド４に設けたアジックテープ雄９により本体の前面の穴１４を塞ぎながら、任意の位置につけられる着脱式前面シールド４。この前面シールド４の穴１８に、前後に伸縮可能な空気取り入れ部５を設ける。【選択図】図１
2004195150.tif 000002
【特許請求の範囲】
【請求項１】
人の頭をすっぽり覆うことが出来、前面に穴１４を設けたヘッドシールド本体１の前側と横側を末広がりに作り、内側には、なだらかなライン状の突起物２を、またその周辺に排気穴３を設ける。本体１のマジックテープ雌８と着脱式前面シールド４に設けたマジックテープ雄９により、本体の前面の穴１４を塞ぎながら、任意の位置につけられる着脱式前面シールド４。この前面シールド４の穴１８に、前後に伸縮可能な筒状空気取り入れ部５を設けたことを特徴とするヘッドシールド。
【請求項２】
着脱式前面シールド４の為の穴１４を設けず、その他は上記と同様のヘッドシールド１に、空気取り入れ部５が出せる、空気取り入れ穴１７を設ける。一部を蛇腹状等１３にした、筒状空気取り入れ部５の後端の右端と左端に、ゴム状紐等１６の両端をそれぞれに取り付ける。
【請求項３】
本体１に、着脱式前面シールド４の為の穴１４と空気取り入れ穴１７を設けず、その他は請求項２と同様のヘッドシールド１。また、請求項２の空気取り入れ部５の後端を口にくわえられる１９ようにする。
【発明の詳細な説明】
【０００１】
【発明の属する技術分野】本発明は、風呂場等において、効率良く顔、頭等を保温、発汗させるヘッドシールドに関する物である。
【０００２】
【従来の技術】従来は風呂等に入っても、短時間では顔等からの発汗は少なく、顔等を洗っても表面のみの洗浄で終わっていた。
【０００３】
【発明が解決しようとする課題】風呂等に長時間入らない限り顔等からの発汗は少ない。よって毛穴もあまり開かず表面だけの洗浄に終始していた。
【０００４】
【課題を解決するための手段】上記問題を解決するために、人の頭をすっぽり覆うことが出来、前面に穴１４を設けたヘッドシールド本体１と、着脱式前面シールド４を作り、その本体１の前側と横側を末広がりにし、内側の頭頂部にあたる部分になだらかなライン状の突起物２を設け、その周辺に排気穴３を設ける。また本体１の前面にマジックテープ雌８と、着脱式前面シールド４にマジックテープ雄９をそれぞれ設ける。これにより本体１前面の穴１４を塞ぎながら、上下方向の任意の位置で貼り合わせることが出来る、着脱式前面シールド４。また前後に伸縮可能であり、後ろ側にストッパー７を設け、脱落防止構造にし、前側先端を窄ませた１５筒状空気取り入れ部５を、着脱式前面シールド４の穴１８に設ける。さらにこの筒状空気取り入れ部５の後ろ側ストッパー７の右端と左端に、ゴム状紐等１６の両端を取り付ける。なお後ろ側ストッパー７は、後端の部分をぐるりと一周し、顔にあたる部分は丸く製作する。また、本体１に縦長の外部確認穴６を設ける。
【０００５】
【発明実施の形態】人の頭をすっぽり覆うことが出来、前面に穴１４を設けたヘッドシールド本体１と、着脱式前面シールド４を作り、その本体１は、前側と横側を末広がりにし、内側の頭頂部にあたる部分に本体１を安定させる為、なだらかなライン状の突起物２を設け、その周辺に排気穴３を設ける。また、筒状空気取り入れ部５を、上下前後自在に動かすことの出来るように、まず本体１の前面にマジックテープ雌８と、着脱式前面シールド４にマジックテープ雄９を、それぞれ設けることにより、本体１前面の穴１４を塞ぎながら、上下方向の任意の位置で貼り合わせることが出来る着脱式前面シールド４。次に、着脱式前面シールド４の穴１８に、前後に伸縮可能であり、脱落防止構造にするため、後ろ側ストッパー７をつけた、筒状空気取り入れ部５を設ける。又、冬場等で使用中に冷気があまり入らないように、前側先端を窄ませる１５。さらにこの空気取り入れ部５が、口から外れないように後ろ側ストッパー７の右端と左端にゴム状紐等１６の両端をそれぞれ取り付ける。なお、後ろ側ストッパー７は、後端の部分をぐるりと一周し、顔にあたる部分は丸く製作する。また、本体を被った時に外部が見えるように縦長の外部確認穴６を設ける。
【０００６】
【実施例】本発明のヘッドシールド１を使用するときは、頭頂部にライン状の突起物２が、あたる様にヘッドシールド１を頭にかぶる。次に、着脱式前面シールド４の空気取り入れ部５が、後ろ側ストッパー７で止まるように最大に引き伸ばし、口元と空気取り入れ部５が並行になるように、着脱式前面シールド４を、本体１のマジックテープ雌８と、前面シールド４のマジックテープ雄９で貼り合せる。一旦本体を頭から外し、筒状空気取り入れ部５の後端を、口に当て、ゴム状紐等１６を後頭部に掛け、着脱式前面シールド４の穴１８から空気取り入れ部５を出しながら、再度本体１を被る。二度目からは筒状空気取り入れ部５の後端を口に当て、ゴム状紐等１６を後頭部に掛け、着脱式前面シールド４の穴１８から空気取り入れ部５を出しながら本体１を被るだけでよい。第二の実施例として、筒状空気取り入れ部５の後端を口に当て、後頭部にゴム状の紐等１６で固定し、本体１を被りながら、本体１に設けた空気取り入れ穴１７から一部を蛇腹状等１３にし自在に動かせる空気取り入れ部５を出す。第三の実施例として、後端を口にくわえられるようにした１９筒状空気取り入れ部５を口にくわえ、途中を湾曲させ、先端を上方に向け、その筒状空気取り入れ部５の先端を本体１の外側に出しながら本体１を被る。
【０００７】
【発明の効果】
以上のように本実施例によれば、本体１の前側と横側が末広がりになっていることにより、ヘッドシールドの下から昇る風呂の湯気を効率よく集めることが出来る。また、本体１の内側の頭頂部にあたる部分に、ライン状の突起物２を設け、その周辺に排気穴３を設けることで、本体を安定させ、なお且つ湯気の通路を確保した事により湯気の流れが出来、これにより絶えず新鮮な湯気が顔等を通過することになる。さらに、筒状の空気取り入れ部５を設けたことで、酸欠防止になる。これらの結果から、短時間に効率よく顔、頭等を暖め発汗できるため、毛穴も開き皮脂も軟らかくなるので、より洗浄効果が期待できる。
【図面の簡単な説明】
【図１】本発明の側面断面図
【図２】本発明の斜視図
【図３】本発明の正面断面図
【図４】本発明の実施例
【図５】本発明第二の側面断面図
【図６】本発明第三の実施例の側面断面図
【符号の説明】
１  ヘッドシールド本体
２  ライン状の突起物
３  排気穴
４  着脱式前面シールド
５  筒状空気取り入れ部
６  外部確認穴
７  後ろ側ストッパー
８  本体側雌マジックテープ
９  着脱式前面シールド側雄マジックテープ
１０風呂釜
１１風呂蓋
１２湯気
１３蛇腹状等
１４本体前面に設けた穴
１５窄ませた部分
１６ゴム状の紐等
１７本体に設けた空気取り入れ穴
１８着脱式前面シールドに設けた穴
１９口にくわえられるようにした部分
【図１】
2004195150.tif 000003
【図２】
2004195150.tif 000004
【図３】
2004195150.tif 000005
【図４】
2004195150.tif 000006
【図５】
2004195150.tif 000007
【図６】
2004195150.tif 000008